(57)【特許請求の範囲】
【請求項１】
内部が中央通路と外周通路に分割形成され且つ上記中央通路に連通する接続管と上記外周通路に連通する接続管とを接続してなる浴槽取付金具と、この浴槽取付金具に連結でき且つ上記各通路に連通する通路を内部に形成してなる浴槽挟着具と、この浴槽挟着具の通路内に挿入して上記浴槽取付金具の中央通路に連通するように嵌合できる円筒体を形成すると共に、この円筒体の外側の浴槽挟着具の通路を介して上記浴槽取付金具の外周通路に連通する通路を形成し、且つ湯水吐出口と湯水戻り口を形成してなる給湯通路分割具と、この給湯通路分割具の前面に着脱自在に設けることができるフイルターキャップとからなる浴槽用給湯循環接続具において、
上記給湯通路分割具は、通路分割本体、通路分割中間部材、および通路分割部材からなり、かつ通路分割本体と通路分割中間部材との対峙する所定箇所にそれぞれ湯水吐出口と湯水戻り口とが形成されていて、上記通路分割本体、通路分割中間部材、通路分割部材の順に互いに係合させて組み合わせることによって構成し、
さらに、上記給湯通路分割具の湯水吐出口と上記浴槽取付金具の中央通路または外周通路とに連通する通路分割本体、通路分割中間部材、および通路分割部材の各通路内には共に通じる往路用トラップ通路部がそれぞれ形成されていて、
かつ上記給湯通路分割具の湯水戻り口と上記浴槽取付金具の外周通路または中央通路に連通する通路分割本体、通路分割中間部材、および通路分割部材の各通路内には共に通じる戻り路用トラップ通路部がそれぞれ形成されていることを特徴とする浴槽用給湯循環接続具。
【発明の詳細な説明】
【０００１】
【発明の属する技術分野】
本発明は、浴槽と風呂釜とを接続して湯水を強制循環させるのに使用する浴槽用給湯循環接続具に関するものである。
【０００２】
【従来の技術】
一般に風呂釜と浴槽とは、湯水を強制的に循環させる往路用通路と戻り路用通路を形成した接続具を介して接続されている。そして、風呂釜側に設けられた循環ポンプを作動させて浴槽内の湯水を接続具の戻り路用通路から循環ポンプによって吸引する。そして、循環ポンプの吐出側から熱交して送出された湯水は、接続具の往路用通路を介して浴槽内に吐出されている。
【０００３】
上記のような湯水を強制的に循環させるための接続具としては、例えば実開平５ー１９８５９号公報に記載のような接続具など従来から種々のものが開発されている。上記公報に記載の接続具は、浴槽の湯水を抜いたときにサイフォン現象によって接続具の通路内の湯水が抜けて、新たに湯水を浴槽に満たして追い焚きをする際に循環ポンプの作動によって空気が通路内に入り込み、循環ポンプの作動がスムーズに出来なくなる、といったことを防止するために、トラップ通路部を接続具内の二次元方向に形成し、浴槽から湯水を抜いたときでもサイフォン現象によって接続具内の通路から湯水が抜けることなくトラップ通路部に呼び水としての湯水が残るようにしてある。
【０００４】
【発明が解決しようとする課題】
ところが、最近は二階建てや三階建ての家屋が増えてきており、これらの家屋では浴室を階下に設け、風呂釜を上階に設置しているところが多い。そして、この上階の風呂釜側に設けた循環ポンプと、階下の浴室に設置した浴槽との間で湯水循環接続具を介して湯水を上下方向に循環させている。
【０００５】
このような場合、上記のような接続具内の二次元方向にトラップ通路部を形成した構成の接続具では、上階に設置した風呂釜側の循環ポンプと、階下に設置したの浴槽との間には大きな落差があり、浴槽の湯水を抜いたときにトラップ通路部の湯水も抜けてしまう。そのため新たに湯水を浴槽に満たして追い焚きをするために循環ポンプを作動させようとした時、循環ポンプの駆動がスムーズにできないといった問題があった。
【０００６】
本発明は上記のような問題点を解決するために開発されたものであり、その目的とするところは、二階や三階建て家屋等において、風呂釜と浴槽とが上・下階に分かれて設置されたような場合でも、湯水を浴槽から排水したときにサイフォン現象によって湯水通路内から湯水が抜けることなく、再度浴槽に湯水を満たした時にスムーズに湯水を循環させて追い焚きすることができるようにした浴槽用給湯循環接続具を提供することにある。
【０００７】
【課題を解決するための手段】
そこで、本発明は上記目的を達成するために、次のような構成にしてある。すなわち、内部が中央通路と外周通路に分割形成され且つ上記中央通路に連通する接続管と上記外周通路に連通する接続管とを接続してなる浴槽取付金具と、この浴槽取付金具に連結でき且つ上記各通路に連通する通路を内部に形成してなる浴槽挟着具と、この浴槽挟着具の通路内に挿入して上記浴槽取付金具の中央通路に連通するように嵌合できる円筒体を形成すると共に、この円筒体の外側の浴槽挟着具の通路を介して上記浴槽取付金具の外周通路に連通する通路を形成し、且つ湯水吐出口と湯水戻り口を形成してなる給湯通路分割具と、この給湯通路分割具の前面に着脱自在に設けることができるフイルターキャップとからなる浴槽用給湯循環接続具において、上記給湯通路分割具は、通路分割本体、通路分割中間部材、および通路分割部材からなり、かつ通路分割本体と通路分割中間部材との対峙する所定箇所にそれぞれ湯水吐出口と湯水戻り口とが形成されていて、上記通路分割本体、通路分割中間部材、通路分割部材の順に互いに係合させて組み合わせることによって構成し、さらに、上記給湯通路分割具の湯水吐出口と上記浴槽取付金具の中央通路または外周通路とに連通する通路分割本体、通路分割中間部材、および通路分割部材の各通路内には共に通じる往路用トラップ通路部がそれぞれ形成されていて、
かつ上記給湯通路分割具の湯水戻り口と上記浴槽取付金具の外周通路または中央通路に連通する通路分割本体、通路分割中間部材、および通路分割部材の各通路内には共に通じる戻り路用トラップ通路部がそれぞれ形成されている構成にしてある。
【０００８】
【発明の実施の形態】
本発明の実施の形態を添付の図１〜図１８に基づいて説明する。図１は本発明に係る一実施例の浴槽用給湯循環接続具の分解斜視図であって、この浴槽用給湯循環接続具１は、浴槽取付金具２およびパッキン２ａと、浴槽挟着具３と、給湯通路分割具４と、フイルターキャップ５とによって構成されている。
【０００９】
浴槽取付金具２は、一端を開口してなる有底円筒状のものであって、内部に２つの通路（中央通路６ａ、外周通路６ｂ）が分割形成されている。開口端７にはフランジ８が形成してある。
【００１０】
また、この開口端７寄りの内周面には、浴槽挟着具３と螺着できるようにネジ溝９が形成してある。この中空なる浴槽取付金具２の中央部には円筒体１０が底部から一体的に形成してある。円筒体１０の先端１０ａは、浴槽取付金具２の開口端７とほぼ面一となるように形成してある。上記の円筒体１０によって浴槽取付金具２内は２つの内部空間に分割され、上記中央通路６ａが円筒体１０内に、また外周通路６ｂが円筒体１０の外周にそれぞれ形成されている。
【００１１】
さらに、上記各通路６ａ、６ｂの位置する浴槽取付金具２の底部位置には、それぞれ穴（図示省略）が形成してある。この各穴を介して上記通路６ａ、６ｂに連通するようにして２つの接続管１１、１２が設けてある。接続管１１は中央通路６ａに連通し、接続管１２は外周通路６ｂに連通するようにしてある。また各接続管１１、１２の端部には、ネジ溝１３ａ、１３ｂが形成してある。
【００１２】
また、上記浴槽挟着具３は、全体が合成樹脂によって形成され、上記浴槽取付金具２のネジ溝９と螺合できるように外周面にネジ溝１４を形成した筒体部１５と、この筒体部１５の一端に形成したフランジ部１６と、このフランジ部１６の外周に一定間隔を以て突出形成した止めネジ受部１７とからなる。上記筒体部１５の通路１８は、浴槽取付金具２の各通路６ａ、６ｂに臨み、給湯通路分割具４を浴槽挟着具３に取り付けたとき、この浴槽挟着具３の通路１８は浴槽取付金具２の外周通路６ｂと連通する。
【００１３】
また、本発明の要部である上記給湯通路分割具４は、通路分割本体１９と通路分割中間部材２０と通路分割部材２１とによって構成され、それぞれが合成樹脂によって形成されている。
【００１４】
図２〜図６に示すようにこの通路分割本体１９は全体が円形状であって、外周に壁部２３が形成され、この壁部２３の２箇所に開口２４、２５が形成してある。この壁部２３で囲繞された通路分割本体１９の内面側２２（図３参照）には、往路用トラップ通路部２６（１）を有する通路２７（１）と、戻り路用トラップ通路部２８（１）を有する通路２９（１）とが後述する各々仕切り壁によって分割形成されている。
【００１５】
すなわち、上記の往路用トラップ通路部２６（１）を有する通路２７（１）は、通路分割本体１９の内面側２２の中央部から仕切り壁３０ａ、３０ｂ、３０ｃ、３０ｄ、３０ｇと外周仕切り壁３４とによって形成され略Ｕ字形の通路２７ａ（全体の通路２７（１）の一部）と、上記仕切り壁３０ｃ、３０ｄと仕切り壁３０ｅ、３０ｆ、３０ｇと外周仕切り壁３４とによって形成された略逆Ｕ形の通路２７ｂとからなる。この通路２７ｂの端部の湯水吐出口３１ａは、上記外周仕切り壁３４の一方の開口２４に位置している。
【００１６】
また、この通路２７（１）において往路用トラップ通路部２６（１）は、上記通路２７ａと、通路２７ｂの一部である仕切り壁３０ｄ、３０ｅ、３０ｆ、３０ｇおよび外周仕切り壁３４によって形成される通路部２７ｃの箇所である。
【００１７】
また、通路２９（１）は、仕切り壁３０ｂ、３０ｅ、３０ｈと外周仕切り壁３４によって形成された略逆Ｕ字形であって、この通路２９（１）の端部の湯水戻り口３２ａは、上記壁部２３の他方の開口２５に位置している。
【００１８】
この通路２９（１）において戻り路用トラップ通路部２８（１）は、仕切り壁３０ｂ、３０ｈと外周仕切り壁３４によって形成されている通路部２９ａの箇所である。
【００１９】
また、図４〜図６に示すように各仕切り壁（図３参照）および外周仕切り壁３４の上端面には、後述する通路分割中間部材２０と嵌合できるように多数の嵌合凹部３３が夫々形成してある。
【００２０】
次に図７〜図１０に示すように通路分割中間部材２０は円形状であって、この通路分割中間部材２０の内面側３５には、上記通路分割本体１９（図３参照）の各仕切り壁３０ａ、３０ｂ、３０ｃ、３０ｄ、３０ｅ、３０ｆ、３０ｇ、３０ｈおよび外周仕切り壁３４の上端と対峙する位置に、図８に示すように仕切り壁３６ａ、３６ｂ、３６ｃ、３６ｄ、３６ｅ、３６ｆ、３６ｇ、３６ｈおよび外周仕切り壁３７が形成されている。
【００２１】
上記の各仕切り壁３６ａ、３６ｂ、３６ｃ、３６ｄ、３６ｅ、３６ｆ、３６ｇ、３６ｈおよび外周仕切り壁３７によって、この通路分割中間部材２０の内面側３５に、上記通路分割本体１９の通路２７（１）に合致する形状の通路２７（２）、および上記通路分割本体１９の通路２９（１）に合致する形状の通路２９（２）が形成されている。また、中央には貫通穴４８ａが形成されている。
【００２２】
上記の通路２７（２）は、仕切り壁３６ａ、３６ｂ、３６ｃ、３６ｄおよび外周仕切り壁３７によって形成された略Ｕ形の通路３９ａ（全体の通路２７（２）の一部）と、上記仕切り壁３６ｃ、３６ｄ、３６ｅ、３６ｆ、３６ｇおよび外周仕切り壁３７によって形成された略逆Ｕ形の通路３９ｂとからなる。この通路３９ｂの端部には湯水吐出口３１ｂが形成されている。
【００２３】
また、この通路２７（２）において往路用トラップ通路部２６（２）は、上記通路３９ａと、通路３９ｂの一部である仕切り壁３６ｄ、３６ｅ、３６ｆ、３６ｇおよび外周仕切り壁３７によって形成される通路部３９ｃとからなる箇所である。
【００２４】
また、上記通路２９（２）は、仕切り壁３６ｂ、３６ｅ、３６ｈおよび外周仕切り壁３７によって形成される略逆Ｕ形の通路であって、この通路２９（２）の端部には湯水戻り口３２ｂが形成されている。
【００２５】
この通路２９（２）において戻り路用トラップ通路部２８（２）は、仕切り壁３６ｂ、３６ｈと外周仕切り壁３７によって形成されている通路部４０ａの箇所である。
【００２６】
また、この通路分割中間部材２０には、上記通路２７（２）の略Ｕ字形の通路３９ａの仕切り壁３０ｄ寄りに中間部材開口部４２が形成されている。また、略逆Ｕ字形の通路３９ｂの仕切り壁３０ｄ寄りには中間部材開口部４３が形成されている。また、略逆Ｕ字形の通路２９（２）の仕切り壁３６ｂ寄りには、中間部材開口部４４が形成されている。
【００２７】
さらに、図９に示すように上記の各仕切り壁および外周仕切り壁３７の上端面には、上記通路分割本体１９の各仕切り壁（図３〜図５参照）の上端面に形成した嵌合凹部３３と嵌合する凸部４１が夫々形成されている。また、この通路分割中間部材２０の外面側４５には、後述する通路分割部材２１と嵌合できるように複数の凹部４６が形成してある。
【００２８】
次に図１１〜図１３に示すように通路分割部材２１は、中央部に上記浴槽取付金具２の円筒体１０に嵌入できる筒体部４７を形成すると共に、この筒体部４７の一端に通路分岐部５２が形成されている。
【００２９】
通路分岐部５２の内面側５４には、中央の貫通路４８ｂの外周に、上記中間部材開口部４２、中間部材開口部４３、中間部材開口部４４（図７参照）を介して、通路分割中間部材２０（図８参照）の往路用トラップ通路部２６（２）に連通する往路用トラップ通路部２６（３）と、上記通路分割中間部材２０の戻り路用トラップ通路部２８（２）に連通する戻り路用トラップ通路部２８（３）とが、それぞれ仕切り壁４９、５０および外周壁５１によって形成されている。この通路分岐部５２の通路２８（３）の仕切り壁４９寄りには、分割部材開口部５３が形成されている。
【００３０】
また、この通路分岐部５２の内面側５４の筒体部４７、仕切り壁４９、５０、外周壁５１の上端面には、上記通路分割中間部材２０の外面側４５に形成した各凹部４６（図９参照）と嵌合できる位置に嵌合凸部５５が形成されている。
【００３１】
上記のように構成される通路分割本体１９と通路分割中間部材２０と通路分割部材２１は、図１４〜図１６に示すように通路分割本体１９の内面側２２と通路分割中間部材２０の内面側３５を対峙させ、通路分割本体１９の湯水吐出口３１ａおよび湯水戻り口３２ａと、通路分割中間部材２０の湯水吐出口３１ｂおよび湯水戻り口３２ｂとを合致させると共に、通路分割本体１９の嵌合凹部３３と通路分割中間部材２０の嵌合凸部５４とを嵌合させて結合する。さらに、この通路分割中間部材２０の外面側４５の嵌合凹部４６に、 通路分割部材２１の内面側５４の嵌合凸部５５を嵌合させて結合する。このようにして通路分割本体１９と通路分割中間部材２０と通路分割部材２１とを一体的に組み合わせて給湯通路分割具４を組み立てる。
【００３２】
このとき、図１７〜図１８に示すように通路分割中間部材２０の中間部材開口部４２は、通路分割本体１９の仕切り壁３０ａ、３０ｃ、３０ｄで仕切られた往路用トラップ通路部２６（１）に位置し、中間部材開口部４３は通路分割本体１９の仕切り壁３０ｅ、３０ｇ、３０ｄ、３０ｆで仕切られた通路部２７ｃに位置する。さらに、中間部材開口部４４は、通路分割本体１９の仕切り壁３０ｂ、３０ｈおよび外周仕切り壁３４で仕切られた戻り路用トラップ通路部２８（１）に位置する。
【００３３】
また、上記の中間部材開口部４２および中間部材開口部４３は、外面側４５に設けた通路分割部材２１の往路用トラップ通路部２６（３）に位置する。さらに、中間部材開口部４４は、外面側４５に設けた通路分割部材２１の戻り路用トラップ通路部２８（３）に位置する。
【００３４】
また、通路分割部材２１の分割部材開口部５３は、上記浴槽挟着具３の通路１８に連通し、この通路１８を介して浴槽取付金具２の外周通路６ｂに連通する。
【００３５】
このように通路分割本体１９と通路分割中間部材２０と通路分割部材２１とを組み合わせて給湯通路分割具４を形成することにより、給湯通路分割具４の内部には上述のように往路用トラップ通路部２６（１）、２６（２）、２６（３）と、戻り路用トラップ通路部２８（１）、２８（２）、２８（３）とからなる三次元方向に巡らせたトラップ通路部が構成されている。
【００３６】
ここで、図１７および図１８によって給湯通路分割具４における湯水の往路（実線で示す）と戻り路（破線で示す）の流れについて説明する。先ず湯水の往路として通路分割部材２１の貫通路４８ｂから流入した湯水は、通路分割中間部材２０の貫通路４８ｂを通って通路分割本体１９（図１７参照）の中央部に流入し、通路分割本体１９（および通路分割中間部材２０）の略Ｕ字状の往路用トラップ通路部２６（１）（２）を通った湯水は、通路分割中間部材２０の中間部材開口部４２を通って通路分割部材２１の往路用トラップ通路部２６（３）に入り、この往路用トラップ通路部２６（３）から再び通路分割中間部材２０の中間部材開口部４３を通って通路分割本体１９（および通路分割中間部材２０）の略逆Ｕ字状の往路用トラップ通路部２６（２）（１）を通って湯水吐出口２１から浴槽内に吐出される。
【００３７】
一方、破線で示すように通路分割本体１９（および通路分割中間部材２０）のの湯水戻り口３２（図１７参照）から流入した浴槽内の湯水は、通路分割本体１９（および通路分割中間部材２０）の略逆Ｕ字状の戻り路用トラップ通路部２８（１）（２）を通って（図１８参照）、通路分割中間部材２０の中間部材開口部４４から通路分割部材２１の戻り路用トラップ通路部２８（３）に入り、この戻り路用トラップ通路部２８（３）内を通って分割部材開口部５３から浴槽挟着具３（図１参照）の通路１８を通って浴槽取付金具２の外周通路６ｂ、接続管１２から風呂釜（図示せず）に戻される。
【００３８】
上記のような構成からなる給湯通路分割具４の通路分割本体１９には、図２に示すように外面側５６に着脱可能なフイルターキャップ５が嵌着される。フイルターキャップ５の正面と、通路分割本体１９の開口２４、２５の位置には夫々フイルター５８が設けられる。
【００３９】
上記の浴槽用給湯循環接続具１を浴槽の貫通穴を穿設した側壁（図示せず）に設け、この浴槽用給湯循環接続具１の接続管１１に風呂釜側の循環ポンプ（図示せず）に接続した往路用管（図示せず）を接続し、浴槽用給湯循環接続具１の接続管１２に風呂釜側の循環ポンプ（図示せず）に接続した戻り路用管を接続し、浴槽に水を満たし循環ポンプを作動せて水（または湯水）を循環させながら風呂釜（図示せず）で風呂（水）を焚く。
【００４０】
また、浴槽と風呂釜側との設置場所に落差がある場合に浴槽内の湯水を抜いた時に強いサイフォン現象によって浴槽用給湯循環接続具１の通路から完全に湯水が抜けることがなく、湯水は、通路分割本体１９、通路分割中間部材２０、通路分割部材２１からなる給湯通路分割具４の三次元方向に形成された各往路用トラップ通路部２６（１）、２６（２）、２６（３）、および各戻り路用トラップ通路部２８（１）、２８（２）、２８（３）の各箇所（図１７、図１８に示す湯水流れの太線で示す箇所）に溜まる。そのため、再び浴槽に湯水を満たして追い焚きをする場合に、風呂釜側の循環ポンプを作動させた時にも、上記各トラップ通路部に溜まった湯水が呼び水となって直ちに作動させることができる。
【００４１】
なお、上記した浴槽用給湯循環接続具１の湯水の往路用通路と戻り路用通路とを逆にして使用してもよい。この場合は、上記した往路側と戻り路側の湯水の流れは逆になる。
【００４２】
【発明の効果】
このように本発明の浴槽用給湯循環接続具では、給湯通路分割具の湯水吐出口と上記浴槽取付金具の中央通路または外周通路とに連通する通路内に往路用トラップ通路部と、湯水戻り口と上記浴槽取付金具の外周通路または中央通路に連通する通路内に戻り路用トラップ通路部とを、上記給湯通路分割具の内部の三次元方向に巡るようにそれぞれ形成してあるので、１階建ての家屋はもとより、２階建てや３階建てなどの家屋において、浴槽と風呂釜を上下階に別けて設置した場合でも、浴槽内の湯水を排水したときに往路用トラップ通路部および戻り路用トラップ通路部に存在する湯水はサイフォン現象によっても抜けることがなく、浴槽内に再び湯を満たして追い焚きの為に風呂釜の循環ポンプを作動させた場合にも、浴槽用給湯循環接続具の各通路に空気が入り込むこともなく、スムーズに循環ポンプを作動と共に追い焚きを行うことができる。
【図面の簡単な説明】
【図１】本発明に係る浴槽用給湯循環接続具の分解斜視図である。
【図２】本発明に係る通路分割本体の正面図である。
【図３】本発明に係る通路分割本体の背面図である。
【図４】図３のＡーＡ矢視断面図である。
【図５】図３のＢーＢ矢視断面図である。
【図６】図３のＣーＣ矢視断面図である。
【図７】本発明に係る通路分割中間部材の背面図である。
【図８】本発明に係る通路分割中間部材の正面図である。
【図９】図８のＤーＤ断面図である。
【図１０】本発明に係る通路分割中間部材の側面図である。
【図１１】本発明に係る通路分割部材の背面図である。
【図１２】本発明に係る通路分割部材の正面図である。
【図１３】本発明に係る通路分割部材の縦断面図である。
【図１４】本発明に係る給湯通路分割具の縦断面図である。
【図１５】本発明に係る給湯通路分割具の正面図である。
【図１６】本発明に係る給湯通路分割具の底面図である。
【図１７】本発明に係る通路分割部材方向から見た給湯通路分割具内の湯水の流れを示す説明図である。
【図１８】本発明に係る通路分割本体方向から見た給湯通路分割具内の湯水の流れを示す説明図である。
【符号の説明】
１      浴槽用給湯循環接続具
２      浴槽取付金具
３      浴槽挟着具
４      給湯通路分割具
５      フイルターキャップ
６ａ    中央通路
６ｂ    外周通路
１９    通路分割本体
２０    通路分割中間部材
２１    通路分割部材
２６（１）、２６（２）、２６（３）    往路用トラップ通路部
２８（１）、２８（２）、２８（３）    戻り路用トラップ通路部
３１ａ、３１ｂ    湯水吐出口
３２ａ、３２ｂ    湯水戻り口
【図１】
0003675560.tif 000002
【図２】
0003675560.tif 000003
【図３】
0003675560.tif 000004
【図４】
0003675560.tif 000005
【図５】
0003675560.tif 000006
【図６】
0003675560.tif 000007
【図７】
0003675560.tif 000008
【図８】
0003675560.tif 000009
【図９】
0003675560.tif 000010
【図１０】
0003675560.tif 000011
【図１１】
0003675560.tif 000012
【図１２】
0003675560.tif 000013
【図１３】
0003675560.tif 000014
【図１４】
0003675560.tif 000015
【図１５】
0003675560.tif 000016
【図１６】
0003675560.tif 000017
【図１７】
0003675560.tif 000018
【図１８】
0003675560.tif 000019